(57)【要約】【課題】本発明は、噛み合いにより駆動伝達機構に用いる伝動体の長さを簡単に測定でき、異なるタイプに対しても対応可能な伝動体用測定具を提供することを目的とするものである。【解決手段】樹脂シート１の端部に取っ手３を取り付け、取っ手３側からタイプ表示部４、基準目盛表示部５、側長目盛表示部６を順に配置する。基準目盛表示部５は、巻回状態での基準目盛５ａ及び水平状態での基準目盛５ｂからなり、巻回状態での基準目盛５ａは、巻回状態において生じる誤差分だけ基準目盛５ｂから取っ手３側にずれて表示されている。【選択図】図２
2005037336.tif 000002
【特許請求の範囲】
【請求項１】
駆動体と従動体との間に張架されて該駆動体及び該従動体と噛み合って駆動力を伝達する無端状伝動体の長さを測定する伝動体用測定具であって、前記無端状伝動体の複数のタイプを示すタイプ表示部と、前記無端状伝動体の基準線に沿った長さを測定する際に基準となる目盛として巻回状態での基準目盛及び水平状態での基準目盛を複数の前記タイプ毎に示す基準目盛表示部と、複数の前記タイプの単位長毎に目盛を表示する側長目盛表示部と、駆動体及び従動体に巻回可能で前記各表示部を少なくとも一方の面に表示する帯状基体とを備えていることを特徴とする伝動体用測定具。
【請求項２】
前記無端状伝動体はスプロケット用チェーンであり、前記帯状基体には一方の端部から長手方向に沿って前記タイプ表示部、前記基準目盛表示部及び前記側長目盛表示部の順に表示されており、巻回状態での基準目盛は水平状態での基準目盛に対して前記端部側に表示していることを特徴する請求項１に記載の伝動体用測定具。
【請求項３】
前記側長目盛表示部は、各タイプのリンク長を単位長として目盛表示していることを特徴とする請求項２に記載の伝動体用測定具。
【請求項４】
スプロケットに着脱自在に取り付けられるとともに前記帯状基体が通過する開口部を有する止め具を備えていることを特徴とする請求項２又は３に記載の伝動体用測定具。
【請求項５】
前記無端状伝動体はプーリ用歯付ベルトであり、前記帯状基体には一方の端部から長手方向に沿って前記タイプ表示部、前記基準目盛表示部及び前記側長目盛表示部の順に表示されており、巻回状態での基準目盛は水平状態での基準目盛に対して前記端部とは反対側に表示していることを特徴とする請求項１に記載の伝動体用測定具。
【発明の詳細な説明】
【技術分野】
【０００１】
本発明は、モータ等の駆動体と従動体との間で駆動力を伝達する無端状伝動体の長さを測定する測定具に関する。
【背景技術】
【０００２】
モータ等の駆動力を伝達するために、ベルトやチェーンといった無端状の伝動体を用いた駆動伝達機構が使用されている。こうした無端状の伝動体を張架する場合、弛みがある状態では駆動伝達が正常に行われなくなるため、伝動体の長さを正確に測定してから装着しなければならない。ところが、駆動伝達機構を使用している間に伝動体が摩耗等により切断されてしまうことがある。切断された伝動体は伸びたり変形したりしているため、その長さを測定して新しい伝動体の長さとすることはできない。そこで、伝動体が張架されている駆動体と従動体とにメジャーを巻回して伝動体の長さを測定することが考えられる。
【０００３】
例えば、特許文献１には、帯状スケールにインチ目盛を施し、スケールの端より２πＫ（Ｋは形別のＶベルト車の溝底とピッチ円との隔たり寸法）の点を基点としたＶベルトの呼び番号見出し尺が記載されている。
【特許文献１】特開昭５４−６８６５９号公報
【発明の開示】
【発明が解決しようとする課題】
【０００４】
近年、駆動体及び従動体としてスプロケットを用い伝動体としてチェーンを用いた駆動伝達機構、駆動体及び従動体としてプーリを用い伝動体として歯付ベルトを用いた駆動伝達機構といった駆動体及び従動体のそれぞれと伝動体とが噛み合いにより駆動伝達が行われる機構が採用されている。こうした駆動伝達機構は駆動力を効率的に伝達できるため、さまざまな機器に用いられている。
【０００５】
噛み合いにより駆動伝達する駆動伝達機構では、さまざまな噛み合い方式が開発され多数の異なるタイプの駆動伝達機構が存在しているため、特許文献１のようなメジャーの場合タイプ毎にメジャーを持たなければならなくなり、非常に不便である。
【０００６】
そこで、本発明は、上述した噛み合いにより駆動伝達機構に用いる伝動体の長さを簡単に測定でき、異なるタイプに対しても対応可能な伝動体用測定具を提供することを目的とするものである。
【課題を解決するための手段】
【０００７】
本発明に係る伝動体用測定具は、駆動体と従動体との間に張架されて該駆動体及び該従動体と噛み合って駆動力を伝達する無端状伝動体の長さを測定する伝動体用測定具であって、前記無端状伝動体の複数のタイプを示すタイプ表示部と、前記無端状伝動体の基準線に沿った長さを測定する際に基準となる目盛として巻回状態での基準目盛及び水平状態での基準目盛を複数の前記タイプ毎に示す基準目盛表示部と、複数の前記タイプの単位長毎に目盛を表示する側長目盛表示部と、駆動体及び従動体に巻回可能で前記各表示部を少なくとも一方の面に表示する帯状基体とを備えていることを特徴とする。さらに、前記無端状伝動体はスプロケット用チェーンであり、前記帯状基体には一方の端部から長手方向に沿って前記タイプ表示部、前記基準目盛表示部及び前記側長目盛表示部の順に表示されており、巻回状態での基準目盛は水平状態での基準目盛に対して前記端部側に表示していることを特徴する。さらに、前記側長目盛表示部は、各タイプのリンク長を単位長として目盛表示していることを特徴とする。さらに、スプロケットに着脱自在に取り付けられるとともに前記帯状基体が通過する開口部を有する支持具を備えていることを特徴とする。また、前記無端状伝動体はプーリ用歯付ベルトであり、前記帯状基体には一方の端部から長手方向に沿って前記タイプ表示部、前記基準目盛表示部及び前記側長目盛表示部の順に表示されており、巻回状態での基準目盛は水平状態での基準目盛に対して前記端部とは反対側に表示していることを特徴とする。
【発明の効果】
【０００８】
上記のような構成を有することで、複数のタイプ毎の基準目盛及び単位長毎の目盛が帯状基体に表示されているので、１つの測定具で複数のタイプに対応することができる。また、基準目盛として、無端状伝動体の基準線に沿った長さを測定する際に基準となる目盛として巻回状態での基準目盛及び水平状態での基準目盛を表示しているので、帯状基体を駆動体及び従動体に巻回して巻回状態での基準目盛を用いて必要な伝動体の長さを測定することができ、また水平状態での基準目盛を用いて摩耗等により切断されてしまった伝動体や切断に必要な伝動体を測定することができる。その際に、側長目盛は単位長で表示されているので、伝動体の単位長に基づく測定値を簡単に求めることができる。例えば、スプロケットのチェーンの場合リンクのピッチを単位長とすればよく、また、歯付ベルトの場合にもピッチ寸法を単位長にすれば、ピッチを単位とする測定値を計算を行わずに直接得ることができるようになる。
【０００９】
スプロケット用チェーンの場合、その長さに関する基準線は、図４に示すように、厚み方向の中心を通る線であることから、スプロケットの外周に巻回して測定した値は、基準線で測定する値よりも大きくなる。そのため、外径を測定することにより生じる誤差分だけ巻回状態での基準目盛を水平状態での基準目盛に対して帯状基体の端部側にずらせて表示することで、簡単にチェーンの必要な長さを測定することができる。
【００１０】
また、駆動体及び従動体がスプロケットの場合それに着脱自在に取り付けられるとともに前記帯状基体が通過する開口部を有する支持具を用いることで、スプロケットの外周に帯状基体を巻回する際に外周から外れてしまうのを防止でき、測定を容易に行うことができる。
【００１１】
また、プーリ用歯付ベルトの場合、その長さに関する基準線は、図９に示すように、厚み方向の中心を通る線であることから、プーリの外周に巻回して測定した値は、基準線で測定する値よりも小さくなる。そのため、外径を測定することにより生じる誤差分だけ巻回状態での基準目盛を水平状態での基準目盛に対して帯状基体の端部とは反対側にずらせて表示することで、簡単に歯付ベルトの必要な長さを測定することができる。
【発明を実施するための最良の形態】
【００１２】
以下、本発明に係る実施形態について詳しく説明する。なお、以下に説明する実施形態は、本発明を実施するにあたって好ましい具体例であるから、技術的に種々の限定がなされているが、本発明は、以下の説明において特に本発明を限定する旨明記されていない限り、これらの形態に限定されるものではない。
【００１３】
図１は、本発明にかかる実施形態の全体図を示している。帯状基体である細幅の樹脂シート１が円形の容器ケース２内に巻き取られて収納されている。そして、樹脂シート１の端部にはリング状の金属製取っ手３が取り付けられている。
【００１４】
図２は、樹脂シート１の端部に関する拡大図である。この例では、スプロケット用チェーンの長さを測定するためのものを示している。樹脂シート１には、取っ手３の側から順にタイプ表示部４、基準目盛表示部５及び側長表示部６が配列されている。
【００１５】
タイプ表示部４では、チェーンのタイプを示す番号として、＃５０、＃４０、＃３５、＃２５が樹脂シート１の幅方向に配列されて表示されている。この例では、チェーンのリンクに関するピッチによりそれぞれのタイプが決められている。
【００１６】
図３は、スプロケット及びチェーンを用いた駆動伝達機構を示す。駆動側のスプロケット２０と従動側のスプロケット２１との間にチェーン２２が張架されている。チェーン２２は、リンク２３を連結したもので、その長さを決める基準線は、その中心を通る中心線２４（図３では、一点鎖線で示す）である。中心線２４は、スプロケットの歯の先端を結ぶ外周よりも内側に位置するため、図４に示すように、樹脂シート１をスプロケット２０，２１に巻回して測定した長さＬ１は、チェーンの中心線２４の長さＬ２よりも長くなる。そして、Ｌ１とＬ２の誤差分ｄ０は、スプロケットの半径とチェーンの中心線２４の半径の差をｄ１とすると、特許文献１で求められているように、
ｄ０＝２πｄ１
となる。ｄ１については、タイプ毎に定められたスプロケット及びチェーンの規格から予め計算することができる。
【００１７】
図２に示すように、基準目盛表示部５は、巻回状態での基準目盛５ａ及び水平状態での基準目盛５ｂが表示されているが、水平状態での基準目盛５ｂから誤差分ｄ０だけ取っ手３側にずらせて巻回状態での基準目盛５ａが表示されるようになっている。そして、誤差分ｄ０はタイプ毎に異なるため、それぞれずれた位置に表示される。したがって、樹脂シート１をスプロケットに巻回して基準目盛５ａに側長目盛表示部６の目盛を位置合わせしてリンク数を読み取れば、その測定値は誤差分ｄ０だけ短い値となり、簡単に必要な長さのリンク数を測定することができる。
【００１８】
側長目盛表示部６は、水平状態での基準目盛５ｂからそれぞれのタイプ毎にリンクピッチの長さを単位として目盛が表示されている。目盛に付された数字はリンク数を示す。したがって、装着するチェーンを測定する場合、チェーンの端部を水平状態での基準目盛５ｂに位置合わせして、必要なリンク数の目盛の所で切断すれば、リンク数に応じた長さのチェーンを簡単に準備することができる。また、タイプによってリンクのピッチは異なるが、タイプ毎にリンク数を表示しているので、目的のタイプのリンク数を一目で測定できる。
【００１９】
スプロケットに樹脂シート１を巻回する際に、図５に示すような止め具３０を用いるとよい。止め具３０は、円形の基台３１に磁石３２が嵌め込まれて固定されている。磁石３２が嵌め込まれた周囲からは、磁石３２の吸着面に対して垂直方向に基台３１に支持体３３が立設されており、支持体３３には細長い矩形状の開口部３４が設けられている。止め具３０を用いる場合には、図６に示すように、磁石３２をスプロケットの側面に吸着させて、支持体３３をスプロケットの外周方向に直交するように配置する。そして、樹脂シート１を開口部３４に挿入して保持する。このように、止め具３４を用いることで、樹脂シート１がスプロケットの外周から外れることが防止でき、正確に測定を行うことができる。止め具３４を使用しないときは、取っ手３に吸着させておけば、紛失することもなくなる。スプロケットが磁石を吸着しない材料の場合には、スプロケットの歯を挟持する止め具としてもよい。例えば、一対の挟持片を書類挟みのように弾性力によって付勢して歯を挟持するようにし、挟持片の間に樹脂シートが通過可能な開口領域を形成するようにすればよい。
【００２０】
次に、別の実施形態について説明する。図７は、プーリ用歯付ベルトの長さを測定するためのものである。樹脂シート１の端部には取っ手３が取り付けられており、図示されていないが、図１と同様に容器ケース内に巻き取られて収納される。樹脂シート１には、取っ手３側から順にタイプ表示部７、基準目盛表示部８及び側長目盛表示部９が表示されている。この場合タイプとしてＭＸＬ、ＸＬが表示されている。歯付ベルトについてもタイプによってピッチ寸法が異なるため、それぞれのタイプについてピッチ寸法を単位長として表示すれば、簡単にピッチ寸法に応じた長さが測定できる。
【００２１】
図８にプーリと歯付ベルトを用いた駆動伝達機構を示す。駆動側プーリ４０と従動側プーリ４１との間には歯付ベルト４２が張架されている。歯付ベルト４２の長さの基準線４３は、ベルト内部を通るように設定されており（図８の一点鎖線で示す）、そのためプーリ４０，４１の外周よりも外側に位置している。したがって、図９に示すように、樹脂シート１をプーリ４０，４１に巻回して測定した長さＬ３は、歯付ベルト４２の基準線４３の長さＬ４よりも短くなる。そして、Ｌ３とＬ４の誤差分ｄ２は、プーリの半径と歯付ベルトの基準線４３の半径の差をｄ３とすると、特許文献１で求められているように、
ｄ２＝２πｄ３
となる。ｄ２については、タイプ毎に定められたプーリ及び歯付ベルトの規格から予め計算することができる。
【００２２】
図７に示すように、基準目盛表示部８は、巻回状態での基準目盛８ａ及び水平状態での基準目盛８ｂが表示されているが、水平状態での基準目盛８ｂから誤差分ｄ２だけ取っ手３とは反対側にずらせて巻回状態での基準目盛８ａが表示されるようになっている。そして、誤差分ｄ２はタイプ毎に異なるため、それぞれずれた位置に表示される。したがって、樹脂シート１をプーリに巻回して基準目盛８ａに側長目盛表示部９の目盛を位置合わせして合致したピッチ数を読み取れば、その測定値は誤差分ｄ２だけ長い値となり、簡単に歯付ベルトの必要な長さを測定することができる。
【００２３】
側長目盛表示部９は、水平状態での基準目盛８ｂからそれぞれのタイプ毎にピッチ寸法の長さを単位として目盛が表示されている。目盛に付された数字はピッチ数を示す。摩耗等により切断されてしまった歯付ベルトを測定する場合、歯付ベルトの端部を水平状態での基準目盛８ｂに位置合わせして長さを測定すれば、切断された歯付ベルトの長さを測定することができる。歯付ベルトのピッチ数がわかれば、それに合致する歯付ベルトを選択して装着すればよい。
【００２４】
以上の例では、樹脂シート１の片面に各表示部を表示しているが、両面に複数のタイプに関する各表示部を表示してもかまわない。
【図面の簡単な説明】
【００２５】
【図１】本発明に係る実施形態の全体図である。
【図２】本発明に係る実施形態の一部拡大図である。
【図３】スプロケットとチェーンを用いた駆動伝達機構に関する説明図である。
【図４】図３の駆動伝達機構に用いるチェーンの長さに関する説明図である。
【図５】樹脂シートの止め具の斜視図である。
【図６】止め具の使用状態を示す図である。
【図７】本発明に係る別の実施形態の一部拡大図である。
【図８】プーリと歯付ベルトを用いた駆動伝達機構に関する説明図である。
【図９】図８の駆動伝達機構に用いる歯付ベルトの長さに関する説明図である。
【符号の説明】
【００２６】
１    樹脂シート
２    容器ケース
３    取っ手
４    タイプ表示部
５    基準目盛表示部
６    側長目盛表示部
７    タイプ表示部
８    基準目盛表示部
９    側長目盛表示部
【図１】
2005037336.tif 000003
【図２】
2005037336.tif 000004
【図３】
2005037336.tif 000005
【図４】
2005037336.tif 000006
【図５】
2005037336.tif 000007
【図６】
2005037336.tif 000008
【図７】
2005037336.tif 000009
【図８】
2005037336.tif 000010
【図９】
2005037336.tif 000011